(57)【要約】【課題】鏡面光沢度が２５％以上の点状画像に比べて読み取りの誤認識を抑える。【解決手段】図４（ａ）に示す画像は、日本工業規格のＰ８１４２に基づく７５度鏡面光沢度が１３．７％の点状画像が形成されている第１の用紙Ｐ１を、１０度の読み取り角度で読み取った画像である。図４（ｃ）に示す画像は、上記の鏡面光沢度が２５．２％の点状画像が形成されている第２の用紙Ｐ２を、１０度の読み取り角度で読み取った画像である。図４（ａ）に示した画像では第１の用紙Ｐ１の表面における正反射の影響はほとんどなく、無いものとして誤認識された点状画像はなかった。一方、図４（ｃ）に示した画像では第２の用紙Ｐ２の表面のうち、破線で示した領域内においていくつかの点状画像から正反射光を受光していることがわかる。そして、このため、読み取りデバイスは本来点状画像が描かれている部分について、その点状画像が無いものとして誤認識した。【選択図】図４
2012164214.tif 000002
【特許請求の範囲】
【請求項１】
赤外線の吸収率が閾値未満である表面と、
前記表面上に形成され、赤外線読み取り装置により読み取られる範囲に形成された位置のパターンにより情報を示す複数の点状画像であって、前記赤外線の吸収率が前記閾値以上であり、且つ、前記赤外線に対する鏡面光沢度が２２％以下である複数の前記点状画像と
を具備することを特徴とする記録媒体。
【発明の詳細な説明】
【技術分野】
【０００１】
本発明は、記録媒体に関する。
【背景技術】
【０００２】
赤外線を吸収する赤外線吸収トナーで形成された複数のマークの配置によって情報を表す記録媒体がある。この記録媒体によって表される情報には、記録用紙を識別する識別情報や、記録用紙上の座標位置を表す位置情報などがある。この記録媒体から識別情報や位置情報を読み取る装置として、例えば、赤外線を照射するＬＥＤ（Light Emitting Diode）と赤外線を検知するＣＣＤ（Charge Coupled Device）イメージセンサーとを備えたペン状の手持ち式読み取りデバイスが挙げられる。
【０００３】
ところで、上述したペン状のデバイスでこの記録媒体上に形成されたマークを読み取ろうとするとき、一般にその読み取り角度は、走査されるべき表面に対して変化する。そのため、記録媒体の表面における反射光が強くなる方向に、このデバイスの読み取り方向が一致ないし近づくと、マークにおいて反射した赤外線がデバイスで定められた閾値以上に受光され、有る筈のマークが無いものとして誤認識されることがある。
【０００４】
このような誤認識を防ぐための技術として、特許文献１は、設定値と実際の輝度状態値との誤差を用いて露光時間を制御する光学センサーデバイスを開示する。また、このような誤認識の影響を抑えるために、受光面積を増加させたり、ＬＥＤ等の照射手段やＣＣＤ等の受光手段を複数設けたりすることが行われている。
【先行技術文献】
【特許文献】
【０００５】
【特許文献１】特表２００５−５０５０６１号公報
【発明の概要】
【発明が解決しようとする課題】
【０００６】
本発明の目的は、鏡面光沢度が２５％以上の点状画像に比べて読み取りの誤認識を抑えることにある。
【課題を解決するための手段】
【０００７】
上述した課題を解決するため、本発明の請求項１に係る記録媒体は、赤外線の吸収率が閾値未満である表面と、前記表面上に形成され、赤外線読み取り装置により読み取られる範囲に形成された位置のパターンにより情報を示す複数の点状画像であって、前記赤外線の吸収率が前記閾値以上であり、且つ、前記赤外線に対する鏡面光沢度が２２％以下である複数の前記点状画像とを具備することを特徴とする。
【発明の効果】
【０００８】
請求項１に記載の記録媒体によれば、鏡面光沢度が２５％以上の点状画像に比べて読み取りの誤認識を抑えることができる。
【図面の簡単な説明】
【０００９】
【図１】本実施形態に係る画像形成装置の全体構成を示す図である。
【図２】点状画像の一例を示す図である。
【図３】点状画像におけるトナー濃度と鏡面光沢度との関係を示した図である。
【図４】第１の用紙と第２の用紙とを読み取った画像の例である。
【図５】読み取り角度ごとの誤認識率を測定した例を示す図である。
【発明を実施するための形態】
【００１０】
１．実施形態
以下、本発明の実施形態を説明する。なお、本発明の説明に使用する用語を以下のように定義する。
「光」とは、可視光線のほか少なくとも赤外線を含む電磁波である。
「点状画像」とは、記録媒体の表面に囲まれた輪郭を有し、その輪郭により閉じられている領域内を画像形成材料により塗りつぶされて形成される画像である。なお、実施形態において点状画像は、上記の輪郭が円形のものである。
「鏡面光沢度」とは、日本工業規格のＰ８１４２により定められた「紙及び板紙の７５度鏡面光沢度試験方法」に準じて測定される、入射角および反射角を７５度とする鏡面光沢度である。なお、日本工業規格のＰ８１４２では、可視波長全域にわたって屈折率が１．５６７のガラス表面を光沢度１００％と規定して、この規定されたガラス表面を基準として対象試料の光沢度を決定しているが、本発明においては、可視波長全域に代わり、予め定められた赤外線帯域にわたって屈折率が１．５６７のガラス表面を光沢度１００％と規定して鏡面光沢度を定められている。
【００１１】
１−１．画像形成装置の全体構成
図１は、本実施形態に係る画像形成装置１の全体構成を示す図である。同図に示すように、画像形成装置１は、供給部１１と、光走査部１２と、現像部１３Ｉ，１３Ｋと、転写部１４と、定着部１５と、排出部１６と、制御部１９とを備えている。これらの供給部１１、光走査部１２、現像部１３Ｉ，１３Ｋ、転写部１４、定着部１５及び排出部１６は、制御部１９によって制御される。なお、符号末尾のアルファベットＩは、赤外線を吸収する赤外線吸収トナーに対応した構成を意味しており、アルファベットＫは、黒色トナーに対応した構成であることを意味している。
【００１２】
ここで、赤外吸収トナーは、不可視の色材の一例である。この赤外吸収トナーは、可視光領域（４００ｎｍ以上７００ｎｍ未満）における特定の波長の吸収に起因する発色性が若干あるという程度のもので、例えば、可視光領域における最大吸収率が７％未満であり、赤外領域（７５０ｎｍ以上１０００ｎｍ未満）における吸収率が、予め定められた閾値の一例である３０％以上のトナーである。この閾値は赤外吸収トナーにより形成した画像を読み取り装置で読み取り可能か否かに応じて定められるものである。なお、ここでの「不可視」は、目視により完全に認識不可能であるもののみを指すものではなく、一見しただけでは認識が困難であることや、目視によりほとんど認識することができないことを意味する。
【００１３】
黒色トナーは、可視の色材の一例である。この黒色トナーは、可視光領域において吸収率が３０％以上の広い吸収帯域を有するトナーである。黒色トナーにより形成された画像は、人間の目によって黒色に認識される。
【００１４】
現像部１３Ｉ，１３Ｋのそれぞれは、用いるトナーが異なるのみであって、その構成に大きな差異はない。以下、赤外線吸収トナーおよび黒色トナーのそれぞれを特に区別する必要がない場合には、単にトナーという。また、現像部１３Ｉ，１３Ｋのそれぞれを特に区別する必要がない場合には、トナーの種類を示す符号末尾のアルファベットを省略して「現像部１３」とする。各トナーの詳細については後述する。トナーはキャリアと混合されることによりキャリアから電荷を付与される。混合されたトナーとキャリアは現像剤として現像部１３に供給される。
【００１５】
供給部１１は、予め定められたサイズにカットされた、記録媒体としての用紙Ｐを収容する。供給部１１に収容されている用紙Ｐは、制御部１９の指示により１枚ずつ取り出され、用紙搬送路を経由して転写部１４へと搬送される。
ここで用紙Ｐは、パルプ繊維によって製造された、いわゆる「普通紙」である。なお、記録媒体は用紙に限らず、例えば樹脂製のシート等であってもよい。ただし、これら記録媒体の表面における赤外線の吸収率は、上述した閾値の一例である３０％未満であり、望ましくは７％未満である。
【００１６】
制御部１９は、トナーごとに個別の画像データをＲＡＭ（Random Access Memory）などに対応付けて記憶しており、光走査部１２は、制御部１９の制御の下、各画像データに応じたビーム光をそれぞれ生成して対応する現像部１３Ｉ，１３Ｋへ照射する照射装置を備えている。
【００１７】
現像部１３Ｉが用いる赤外線吸収トナーに対応付けられた画像データは、用紙Ｐの表面上において点状の画像である点状画像を格子状に配列する配列パターンを示す。この配列パターンは、赤外線読み取り装置により読み取られる範囲内に形成された部分によって識別情報などの情報を表す。点状画像およびその配置の詳細については後述する。
【００１８】
転写部１４は、中間転写ベルト１４１と、ベルト搬送ロール１４２と、二次転写ロール１４３と、クリーナバックアップロール１４４と、ステアリングロール１４５と、張架ロール１４６と、一次転写ロール１４７Ｉ，１４７Ｋ（以下、これらを特に区別する必要がない場合には、総称して一次転写ロール１４７という）と、ベルトクリーナ１４９とを備えており、現像部１３によって形成された画像を用紙Ｐに転写する転写装置である。中間転写ベルト１４１は周回移動する無端の帯状部材であり、ベルト搬送ロール１４２と、クリーナバックアップロール１４４と、ステアリングロール１４５と、張架ロール１４６と、一次転写ロール１４７とによって掛け渡される。
【００１９】
ベルト搬送ロール１４２にはモータ等の駆動部（図示せず）が歯車等を介して連結されており、中間転写ベルト１４１を図中の矢印Ｄ１４方向に周回移動させる。なお、駆動部と連結されていない他のロールは、中間転写ベルト１４１の周回移動に伴って回転する。中間転写ベルト１４１が図中の矢印Ｄ１４方向に周回移動して回転することにより、転写部１４が転写した画像は、ベルト搬送ロール１４２と二次転写ロール１４３とが接する領域に移動させられる。二次転写ロール１４３は、中間転写ベルト１４１の外側においてベルト搬送ロール１４２に向かい合う位置に設けられており、ベルト搬送ロール１４２とともに中間転写ベルト１４１を挟持する。二次転写ロール１４３は、例えば接地されることにより、予め定められた電位が維持されている。
【００２０】
ベルト搬送ロール１４２は、中間転写ベルト１４１と接触している部位を内側から外側に向けて押すとともに、この接触部位をトナーと同極性に帯電させる。これにより、中間転写ベルト１４１のうちこの接触部位と、二次転写ロール１４３との間に予め定められた電位差が生じるため、この電位差によって、中間転写ベルト１４１上の画像は供給部１１から搬送されてきた用紙Ｐに転写される。
【００２１】
ベルトクリーナ１４９は、中間転写ベルト１４１の表面に残留している未転写のトナーを取り除く。クリーナバックアップロール１４４は、ベルトクリーナ１４９に向かい合う位置において内側から中間転写ベルト１４１を支え、ベルトクリーナ１４９によるトナーの清掃を支援する。
【００２２】
張架ロール１４６は、一次転写ロール１４７Ｉからベルト搬送ロール１４２までの中間転写ベルト１４１を内側から支える。そして、転写部１４は、画像が転写された用紙Ｐを定着部１５へと搬送する。
【００２３】
各現像部１３は、像を保持する像保持体の一例としての感光体ドラム１３１をそれぞれ備えている。各感光体ドラム１３１は、光走査部１２から照射される光に応じた潜像を保持する。各現像部１３は、それぞれ対応するトナーを用いて、感光体ドラム１３１が保持している潜像から各トナーに対応付けられた画像データにより示される画像をそれぞれ形成する。具体的には、感光体ドラム１３１の表面にトナーと同極性の電荷を保持させ、その表面に対して光走査部１２により光を照射することで電荷を失った部分にトナーを付着させることで、現像部１３は画像を形成する。
【００２４】
そして、上述したとおり、中間転写ベルト１４１の内側において、各感光体ドラム１３１に向かい合う位置に一次転写ロール１４７が設けられている。一次転写ロール１４７は、中間転写ベルト１４１と接触している部位を内側から外側に向けて押すとともに、この接触部位をトナーと逆極性に帯電させる。これにより、中間転写ベルト１４１のうちこの接触部位と、一次転写ロール１４７に向かい合う感光体ドラム１３１との間に電位差が生じるため、中間転写ベルト１４１に画像が転写される。
画像が転写された後、感光体ドラム１３１の表面はクリーナによって除電されるとともに、残留している未転写のトナーが取り除かれる。
【００２５】
定着部１５は、加熱ロールと加圧ロールとを備え、これらを用いた加熱及び加圧により、用紙Ｐに転写された画像をその用紙Ｐに定着させる。排出部１６は、定着部１５による定着処理を経た用紙Ｐを画像形成装置１の上部に設けられた用紙置き場に排出する。制御部１９は、通信可能に接続された外部機器２から受け取った指示の信号や、図示しない操作部によるユーザの操作等に応じて、現像部１３等の画像形成装置１の各構成を制御して、用紙Ｐに画像を形成させる。
【００２６】
１−２．点状画像
図２は、点状画像の一例を示す図である。同図に示すように用紙Ｐには赤外線吸収トナーにより点状の画像である点状画像が格子状に配置され、その配置パターンに応じた情報を示す画像が形成される。以下、同図に示すように、赤外線吸収トナーによる点状画像を点状画像ＧI、赤外線吸収トナーの配置されていない領域を空白領域Ｂとする。このように用紙Ｐに配置された複数の点状画像ＧIは、記録媒体の表面上に形成され、赤外線読み取り装置により読み取られる範囲に形成された位置のパターンにより情報を示す複数の点状画像であって、赤外線の吸収率が閾値以上であり、且つ、その赤外線に対する鏡面光沢度が２２％以下である複数の点状画像の一例である。
【００２７】
１−３．現像剤
１−３−１．キャリア
現像剤は、トナーとキャリアを含む、いわゆる二成分現像剤である。この二成分現像剤に使用し得るキャリアとしては、特に制限はなく、公知のキャリアが用いられる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等を挙げられる。またマトリックス樹脂に導電材料などが分散された樹脂分散型キャリアであってもよい。
【００２８】
１−３−２．トナー
トナーは顔料と樹脂とを含み、樹脂に顔料を分散させて成る。顔料は予め定められた帯域の光を吸収して、反射光に含まれるその帯域の光の強度を低下させる。樹脂は、顔料を分散させて保持するとともに塗布面における光沢度を決定する要因となる。
【００２９】
（１）顔料
赤外線吸収トナーに含まれる顔料は、予め定められた帯域の光として、例えば、７５０ｎｍ以上１０００ｎｍ未満の帯域の赤外線を吸収する赤外線吸収剤を含む。この顔料は、赤外線吸収剤として例えば、下記式（Ｉ）で表されるペリミジン系スクアリリウム色素を含有する。
【化１】
2012164214.tif 000003
【００３０】
黒色トナーに含まれる顔料は、可視光領域に広い吸収帯域を有している。黒色トナーに含まれる顔料は、例えば、カーボンブラック、酸化銅、二酸化マンガン、活性炭、フェライトなどの無機顔料や、アニリンブラックなどの有機顔料が挙げられる。黒色トナーに含まれる顔料は、黒色に発色するものであれば何でもよいが、赤外線帯域の吸収率が高いと赤外線吸収トナーによる点状画像の読み取りに影響を及ぼすため、赤外線帯域の吸収率が例えば７％未満というように比較的低いものが望ましい。
【００３１】
（２）樹脂
赤外線吸収トナーに含まれる樹脂は、少なくとも熱可塑性の結着樹脂を含む。この結着樹脂としては、例えば、ポリエステル系樹脂、ポリスチレン系樹脂、ポリアクリル系樹脂、ビニル系樹脂、ポリカーボネート系樹脂、ポリアミド系樹脂、ポリイミド系樹脂、エポキシ系樹脂、ポリウレア系樹脂などの一般トナー用に用いられる公知の樹脂とその共重合体が挙げられる。これらの中でも、用紙との密着性、低温定着性、定着強度、保存性などのトナー特性を同時に満足し得る点でポリエステル系樹脂が好ましい。また、結着樹脂は、重量平均分子量が５０００以上４００００未満、かつ、ガラス転移温度が５５℃以上７５℃未満であることが好ましい。
【００３２】
また、この樹脂は、粘弾性調整を目的として、無機粉体を含んでもよい。無機粉体としては、トナー表面の外添剤として使用されるものであればよく、具体的には、例えば、シリカ、アルミナ、酸化チタン、チタン酸バリウム、チタン酸マグネシウム、チタン酸カルシウム、チタン酸ストロンチウム、酸化亜鉛、ケイ砂、クレー、雲母、ケイ灰石、ケイソウ土、塩化セリウム、ベンガラ、酸化クロム、酸化セリウム、三酸化アンチモン、酸化マグネシウム、酸化ジルコニウム、炭化ケイ素、窒化ケイ素等が挙げられる。これらの無機粒子は、一般に樹脂の流動性を向上させる（すなわち粘弾性を下げる）目的で使用される。粘弾性が下がればトナーにより形成される画像の表面はより平滑になり、光沢度が上がるからである。
【００３３】
また、この樹脂は、２価以上の価数を取りうる金属元素を含んでもよい。この２価以上の価数を取りうる金属元素は、樹脂の流動性を低下させる（すなわち粘弾性を上げる）目的で使用される。２価以上の価数を取りうる金属元素を含ませることにより、樹脂の粘弾性が上がる原因については、明らかではないが、例えば、以下のように推測されている。
【００３４】
すなわち、２価以上の価数を取りうる金属元素は、トナー母粒子中で結晶性樹脂や離型剤中に分散した状態で存在し、イオン架橋を形成するためトナー母粒子の弾性を高くすると共に、結晶性樹脂と離型剤との相溶性を向上させる。このため、定着時における結晶性樹脂の著しい粘性低下を防ぐと共に、結晶性樹脂と離型剤との相分離も抑制されるため、この金属元素を分散させた樹脂を含むトナーにより形成された画像の光沢が下がるものと考えられる。粘弾性が上がればトナーにより形成される画像の表面は平滑さが失われ、光沢度が下がるからである。
【００３５】
赤外線吸収トナーの調製のために添加される無機粉体および２価以上の価数を取りうる金属元素の量は、この赤外線吸収トナーにより形成される画像に対して上記帯域の赤外線について測定される鏡面光沢度が少なくとも２２％以下、望ましくは１５％未満になるように決定される。
なお、従来の赤外線吸収トナーで形成された画像の光沢は比較的高く、例えば、ＴＭＡ（Toner Mass Area）が２ｍｇ／ｃｍ2以上４ｍｇ／ｃｍ2未満の画像を形成した場合、その画像における、鏡面光沢度は２５％未満にならない。
黒色トナーに含まれる樹脂は、一般トナー用に用いられる公知の樹脂を用いてもよいが、赤外線吸収トナーに含まれる樹脂と同じものであってもよい。
【００３６】
２．実施例
本発明の実施形態に係る記録媒体の実施例として、いわゆる普通紙の一例である富士ゼロックス社製フルカラー複写機用紙の表面に、上述した赤外線吸収トナーにより点状画像が形成された用紙Ｐ（以下、「第１の用紙Ｐ１」という）を作成した。また、その比較例として、上記のフルカラー複写機用紙の表面に、比較用のトナー（以下、比較用トナーという）により点状画像が形成された用紙Ｐ（以下、「第２の用紙Ｐ２」という）を作成した。この比較用トナーは、上述した赤外線吸収トナーと同じ吸収帯域の顔料と、一般トナー用に用いられる公知の樹脂であって、これを含むトナーにより形成された画像に対して測定する鏡面光沢度が２５％以上である樹脂とからなる。そして、これら用紙の評価を行った。なお、これらトナーにより画像が形成されていない用紙Ｐそのものの赤外線吸収率は上述した閾値の一例である３０％未満である。
【００３７】
図３は、第１の用紙Ｐ１および第２の用紙Ｐ２のそれぞれに形成した点状画像ＧIにおけるトナー濃度と鏡面光沢度との関係を示した図である。第２の用紙Ｐ２において、トナー濃度（ＴＭＡ）が３ｍｇ／ｃｍ2以上で４ｍｇ／ｃｍ2未満であるとき、上記の比較用トナーにより形成された点状画像ＧIの鏡面光沢度は２５％以上である。ここでは、図３に示した第２の用紙Ｐ２の二例中、鏡面光沢度の低い方を用紙Ｐ２１とする。
【００３８】
一方、第１の用紙Ｐ１において、トナー濃度が３ｍｇ／ｃｍ2以上で４ｍｇ／ｃｍ2未満であるとき、上記の赤外線吸収トナーにより形成された点状画像ＧIの鏡面光沢度は少なくとも２２％以下であり、望ましくは１５％未満である。同図に示したようにこの場合、第１の用紙Ｐ１に形成された点状画像ＧIの鏡面光沢度は１２％以上２２％以下である。ここでは、図３に示した第１の用紙Ｐ１の三例中、鏡面光沢度の最も高いものを用紙Ｐ１２とし、用紙Ｐ１２の次に鏡面光沢度の高いものを用紙Ｐ１１とする。そして、トナー濃度が０ｍｇ／ｃｍ2であるとき、すなわちトナーによる画像形成がなされていない用紙Ｐそのものの鏡面光沢度は９％以上１０％未満である。
【００３９】
図４は、第１の用紙Ｐ１と第２の用紙Ｐ２とを読み取りデバイスでそれぞれ読み取った画像の例である。読み取りデバイスは、赤外線を照射するＬＥＤなどの照射手段と、赤外線を検知するＣＣＤなどの撮像素子と、可視光線をカットする可視カットフィルターを備えており、照射手段で用紙上に形成された画像に赤外線を照射し、可視カットフィルターによりその画像で反射した赤外線を含む反射光から可視光線を除去し、可視カットフィルターを透過したその光を撮像素子で検知する。ここでは、撮像素子は、縦２２４、横２２４、計５０１７６個のフォトダイオードを有しており、これら各フォトダイオードは、受光した赤外線の強度に応じた電荷を発生させるため、発生したこの電荷に応じた２２４×２２４の画素からなる画像を生成する。具体的には、８５０ｎｍの分光感度が５５０ｎｍの分光感度の６０％以上であってグローバルシャッター方式の赤外ＣＭＯＳ（Complementary Metal Oxide Semiconductor）センサーを撮像素子として使用した。また、照明には設計中心波長８５０ｎｍのＯＳＲＡＭ社製ＳＦＨ４３５０（赤外ＬＥＤ）を用い、可視カットフィルターには、住友ベークライト株式会社製テクナライトＩＲ／Ｒ２８０５を用いた。
【００４０】
図４（ａ）に示す画像は、鏡面光沢度が１３．７％の点状画像が形成されている用紙Ｐ１１（第１の用紙Ｐ１の一例）を、１０度の読み取り角度で読み取った画像である。図４（ｂ）に示す画像は、鏡面光沢度が２２．０％の点状画像が形成されている用紙Ｐ１２（第１の用紙Ｐ１の一例）を、１０度の読み取り角度で読み取った画像である。図４（ｃ）に示す画像は、鏡面光沢度が２５．２％の点状画像が形成されている用紙Ｐ２１（第２の用紙Ｐ２の一例）を、１０度の読み取り角度で読み取った画像である。
【００４１】
図４（ａ）に示した画像では用紙Ｐ１１の表面における正反射の影響はほとんどなく、有るにもかかわらず無いものとして誤認識された点状画像はなかった。また、図４（ｂ）に示した画像では、用紙Ｐ１１に比べて用紙Ｐ１２の表面における正反射の影響が認められるものの、上記の誤認識をされた点状画像はなかった。
【００４２】
一方、図４（ｃ）に示した画像では第２の用紙Ｐ２の表面のうち、破線で示した領域内において、いくつかの点状画像から正反射光を受光していることがわかる。そして、このため、読み取りデバイスは本来、点状画像が描かれている部分について、その点状画像が無いものとして誤認識した。
【００４３】
図５は、読み取り角度ごとの誤認識率を第１の用紙Ｐ１（用紙Ｐ１１，Ｐ１２）と第２の用紙Ｐ２（用紙Ｐ２１）のそれぞれについて測定した例を示す図である。横軸は、読み取りデバイスが画像を読み取る際の読み取り方向の角度を示しており、用紙の表面における法線方向に対する角度によって表したものである。例えば、用紙の表面における法線方向に沿って用紙を読み取った場合、読み取り角度は０度である。縦軸は誤認識率であり、形成された点状画像が無いものとして誤って認識される割合を示したものである。この誤認識率は、読み取り角度毎に５００回の認識を行い、それぞれ誤認識された回数を５００で除算した百分率により表した。同図に示すように、第２の用紙Ｐ２について、読み取り角度を−４０度から４０度まで５度刻みで変化させて誤認識率を測定すると、読み取り角度が１０度のとき誤認識率が０．３％程度であり、読み取り角度が５度のとき誤認識率が１．０％を超えることがわかった。一方、第１の用紙Ｐ１について誤認識率を測定したところ、いずれの読み取り角度においても誤認識率は０％であった。
【００４４】
以上示したように、形成する画像の鏡面光沢度が少なくとも２２％以下、望ましくは１５％未満であるように調製された赤外線吸収トナー（画像形成材料）によって、用紙上に複数の点状画像を形成して情報を表すことにより、形成する画像の鏡面光沢度が２５％以上になる従来のトナーを用いた場合に比べて誤認識の確率が低減された。
【００４５】
３．変形例
以上が実施形態の説明であるが、この実施形態の内容は以下のように変形し得る。また、以下の変形例を組み合わせてもよい。
３−１．変形例１
上述した実施形態において、顔料は、赤外線吸収剤として例えば、式（Ｉ）で表されるペリミジン系スクアリリウム色素を含有していたが、他の赤外線吸収剤を含有していてもよい。
【００４６】
また、上述した実施形態において、顔料は、予め定められた帯域の光として赤外線を吸収する赤外線吸収剤を含むものであったが、赤外線以外の帯域の光を吸収する吸収剤を含むものであってもよい。すなわち、顔料は、赤外線を吸収するものであっても、赤外線を吸収せず、赤外線以外の帯域の光を吸収するものであってもよい。要するに、顔料は、予め定められた帯域の光を吸収するものであればよい。
【００４７】
３−２．変形例２
上述した実施形態において、画像形成装置１は、中間転写ベルト１４１の周回方向における上流側に現像部１３Ｋが、下流側に現像部１３Ｉがそれぞれ設けられていたが、これら現像部１３の配置は逆であってもよい。
【００４８】
また、現像部１３Ｉがあれば現像部１３Ｋはなくてもよい。また、現像部１３Ｋに代えてまたは加えて、黒色と異なる顔料を含んだ別のトナーにより画像を形成する現像部１３を中間転写ベルト１４１の周回上に設けてもよい。例えば、現像部１３Ｉ，１３Ｋに加えて、シアン、マゼンタ、イエローなど、可視光（例えば、波長が４００ｎｍ以上７００ｎｍ未満の光）に対応した吸収帯域を有する顔料を含んだ現像部を設けた場合には、記録媒体上に赤外線の受光センサーに検知させる不可視画像のほか、人間に視認される可視画像が形成される。
【００４９】
３−３．変形例３
上述した実施形態において、点状画像は円形であったが、矩形であってもよい。
また、上述した実施形態において、点状画像は、格子状に仮想的な縦線と横線とを引いた場合に、それら各線の交差点上に配置されていたが、この交差点からずれた位置に配置されてもよい。そして、このずれの量や方向を点状画像ごとに定め、各点状画像がそれぞれ対応する交差点からずれている量や方向の組み合わせによって、情報を表してもよい。
また、格子の間隔としては様々な値が採用し得るが、例えば、記録媒体がＩＳＯ２１６に定めるＡ４サイズ（２１０ｍｍ×２９７ｍｍ）である場合に、格子の間隔を０．０１ｍｍ以上１．０ｍｍ未満、または、より好ましくは０．３ｍｍ程度（０．２５ｍｍ以上０．３５ｍｍ未満）とすると、点状画像の配置パターンの数は、記録媒体上の位置を特定するのに充分な量となるので望ましい。
【００５０】
３−４．変形例４
上述した実施形態において、赤外線吸収トナーの鏡面光沢度が２２％以下となるように、トナー原料である樹脂に、決められた量の無機粉体、または２価以上の価数を取りうる金属元素が添加されていたが、他の材料を添加してもよい。要するに、この赤外線吸収トナーは、これにより形成される画像の鏡面光沢度が２２％以下になるのであれば、どのような材料を含んでもよい。
【符号の説明】
【００５１】
１…画像形成装置、１１…供給部、１２…光走査部、１３，１３Ｉ，１３Ｋ…現像部、１３１…感光体ドラム、１４…転写部、１４１…中間転写ベルト、１４２…ベルト搬送ロール、１４３…二次転写ロール、１４４…クリーナバックアップロール、１４５…ステアリングロール、１４６…張架ロール、１４７，１４７Ｉ，１４７Ｋ…一次転写ロール、１４９…ベルトクリーナ、１５…定着部、１６…排出部、１９…制御部、２…外部機器。
【図１】
2012164214.tif 000004
【図２】
2012164214.tif 000005
【図３】
2012164214.tif 000006
【図５】
2012164214.tif 000007
【図４】
2012164214.tif 000008